(57)【要約】      （修正有）【課題】簡易な張設作業により張地に所望の張力を与えることができる椅子を提供する。【解決手段】フレームに可撓性のある張地Ｍを張設して座及び背凭れの少なくとも一方を構成するようにした椅子であって、前記フレームの表面側を覆うように設けられた張地Ｍがその縁部Ｍｃに剛性のある押し込み材３７を備えたものであり、その縁部Ｍｃを押し込み材３７とともに前記フレームＦの外側面に設けられた取付溝３５に反転させて挿入する。【選択図】図１３
2011045573.tif 000002
【特許請求の範囲】
【請求項１】
フレームに可撓性のある張地を張設して座及び背凭れの少なくとも一方を構成するようにした椅子であって、
前記フレームの表面側を覆うように設けられた張地がその縁部に剛性のある押し込み材を備えたものであり、その縁部を押し込み材とともに前記フレームの外側面に設けられた取付溝に反転させて挿入していることを特徴としている椅子。
【請求項２】
前記押し込み材が、前記取付溝に挿入可能な厚み寸法を有するとともに、前記取付溝の奥行き方向の開口寸法よりも大きな幅寸法を有したものである請求項１記載の椅子。
【請求項３】
前記取付溝が、前記フレームの裏面よりも表面に近い位置に形成されている請求項１または２記載の椅子。
【請求項４】
前記押し込み材が、前記張地の縁部に沿って連続して設けられたものである請求項１、２または３記載の椅子。
【請求項５】
前記押し込み材が、前記張地の縁部の一面側に添着されたものである請求項１、２、３または４記載の椅子。
【請求項６】
前記フレームが、座及び背凭れの少なくとも一方を構成する左右対をなすフレームであり、前記張地が、左右両縁部に前記押し込み材を有するとともに、それ以外の縁部に芯材を備えたものであって、前記芯材の両端部と前記押し込み材との間に芯材のない可撓変形部を形成してなる請求項１、２、３、４または５記載の椅子。
【発明の詳細な説明】
【技術分野】
【０００１】
本発明は、オフィス等において好適に使用される椅子に関する。
【背景技術】
【０００２】
従来、フレーム間に張地を張設して座や背凭れを構成した椅子が種々知られている（例えば、特許文献１を参照）。
【０００３】
ところが従来のものは、張地の縁部をフレームの表面側を覆うようにして裏面側に回り込ませ、その周りこませた張地の縁部を前記フレームに他の止着部材を用いて止着するようにしている。そのため、張地の張設作業が難しいという問題がある。
【０００４】
すなわち、従来のものは、張地を張設する際にまず張地の縁部をフレームに巻き付け、その張地に治具を用いて張力を与えつつ前記止着部材により前記張地の縁部を前記フレームに止着することが必要になる。そのため、張地の張設作業が繁雑になるだけでなく、所定の張力をもって張地を張設することが困難であった。
【先行技術文献】
【特許文献】
【０００５】
【特許文献１】特開平１１−２９０１５３号公報
【発明の概要】
【発明が解決しようとする課題】
【０００６】
本発明は、以上のような課題を解決しようとするものであり、簡易な張設作業により張地に所望の張力を与えることができる椅子を提供することを目的としている。
【課題を解決するための手段】
【０００７】
本発明は、以上のような課題を解決するために、次のような構成を採用したものである。すなわち、本発明に係る椅子は、フレームに可撓性のある張地を張設して座及び背凭れの少なくとも一方を構成するようにしたものであって、前記フレームの表面側を覆うように設けられた張地がその縁部に剛性のある押し込み材を備えたものであり、その縁部を押し込み材とともに前記フレームの外側面に設けられた取付溝に反転させて挿入していることを特徴している。
【０００８】
ここで、表面側とは、座フレームの場合には上面を意味し、背フレームの場合には前面を意味するものである。
【０００９】
また、剛性とは、張地に張力が与えられた際に、張地に設けられた押し込み材がフレームに設けられた取付溝から外側に出てこないものを指す。このようなものとしては、例えば、張地に張力が付与され、この張力により押し込み材に回転する方向の力が加えられた時に、前記取付溝の厚み寸法と押し込み材の幅寸法の違いにより押し込み材が取付溝の外部に抜け出ることを防止するものに限られず、張力により押し込み材が取付溝から外部に抜け出る方向に力が加えられた時に、前記取付溝及び押し込み材間に設けられた係合部の係り合いや、取付溝及び押し込み材間に発生する摩擦力により押し込み材が取付溝の外部に抜け出ることを防止するものであってもよい。
【００１０】
このようなものであれば、張地に設けられた押し込み材をフレームに設けられた取付溝に押し込んでいくという簡易な張設作業により、張地に所望の張力を与えることができる。
【００１１】
前記押し込み材の好適な態様としては、前記押し込み材が、前記取付溝に挿入可能な厚み寸法を有するとともに、前記取付溝の奥行き方向の開口寸法よりも大きな幅寸法を有したものを挙げることができる。このようなものであれば、押し込み材と取付溝の内面との間に隙間が生じるため、押し込み材を取付溝に押し込んでいく作業を容易に行うことができる。
【００１２】
ここで、押し込み材の厚み寸法が前記取付溝よりも小さいものであるため、張地に張力が付与されると前記押し込み材は取付溝内で回転しようとする。しかしながら、押し込み材の幅寸法が前記取付溝の奥行き方向の開口寸法よりも大きく設定されるので、押し込み材が取付溝内で一定以上回転することが抑止される。したがって、押し込み材が取付溝の外部に抜け出ることを防止することが可能となる。すなわち、取付溝及び押し込み材を比較的簡単な構造にしつつ、張地がフレームから外れない構造を実現することができる。
【００１３】
また、前記取付溝が、前記フレームの裏面よりも表面に近い位置に形成されていれば、フレームの形状に沿って張地を張設することができ、フレームが曲線形状を成している場合は特に、その曲線部分に対応する部分の張地にしわが生じることを抑制し得る。
【００１４】
張地をフレームに取り付ける作業を簡単に行うためには、前記押し込み材が、前記張地の縁部に沿って連続して設けられたものであることが好ましい。このようなものであれば、押し込み材を取付溝に押し込むと、その押し込み材の有する剛性により順次連続する押し込み材を取付溝に押し込みやすくなる。
【００１５】
前記押し込み材を前記張地に容易に取り付けるには、前記押し込み材が、前記張地の縁部の一面側に添着されたものとすることが好ましい。なお、添着とは、例えば張地に縫製により取り付けたり、溶着により取り付けるものであってもよい。
【００１６】
また、前記フレームが、座及び背凭れの少なくとも一方を構成する左右対をなすフレームである場合の張地の好適な態様としては、左右両縁部に前記押し込み材を有するとともに、それ以外の縁部に芯材を備えたものであって、前記芯材の両端部と前記押し込み材との間に芯材のない可撓変形部を形成してなるものが挙げられる。このようなものであれば、張地の縁部を押し込み材とともに前記フレームの外側面に設けられた取付溝に反転させて挿入する作業を無理なく行うことができる。
【発明の効果】
【００１７】
本発明は、以上のような構成であるから、簡易な張設作業により張地に所望の張力を与えることができる椅子を提供することができる。
【図面の簡単な説明】
【００１８】
【図１】本発明の一実施形態を示す全体斜視図。
【図２】同実施形態の前面側を一部省略して示す斜視図。
【図３】同実施形態の前面側を一部省略して示す分解斜視図。
【図４】同実施形態の背面側を一部省略して示す斜視図。
【図５】同実施形態の背面側を一部省略して示す分解斜視図。
【図６】同実施形態を張地の片半部及び脚体を省略して示す正面図。
【図７】同実施形態を張地の片半部及び脚体を省略して示す平面図。
【図８】同実施形態を一部省略して示す右側面図。
【図９】図７におけるＡ−Ａ線端面図。
【図１０】図７におけるＢ−Ｂ線端面図。
【図１１】同実施形態の張地の張設前状態を示した背面図。
【図１２】図１１におけるＣ−Ｃ線拡大端面図。
【図１３】図１１におけるＤ−Ｄ線拡大端面図。
【図１４】図８におけるＥ−Ｅ線拡大端面図。
【図１５】本発明の変形例にかかるフレームを模式的に示す平面拡大端面図。
【図１６】本発明の他の変形例にかかるフレーム及び張地を模式的に示す平面拡大端面図。
【図１７】本発明のさらに他の変形例にかかるフレーム及び張地を模式的に示す平面拡大端面図。
【発明を実施するための形態】
【００１９】
以下、本発明を事務用回転椅子に適用した場合の一実施形態について図１ないし図１４を参照して説明する。
【００２０】
この椅子は、図１に示すように、脚体１と、この脚体１により回転可能に支持された支持基部３と、この支持基部３に支持された座５及び背凭れ７とを具備してなる。
【００２１】
脚体１は、図１に示すように、キャスタ９を有した脚羽根タイプの脚ベース１１と、この脚ベース１１の中心部に立設した脚支柱１３とを具備してなる。前記脚支柱１３は、ガススプリングを主体に構成された通常のもので、この脚支柱１３の上端部に前記支持基部３が取り付けられている。
【００２２】
支持基部３は、図３ないし図８に示すように、後方に向かって漸次幅狭となる平面視ほぼ三角形状をなすものであり、前記脚支柱１３の上端部に取り付けられる底壁３ａと、この底壁３ａの周縁に設けられた周壁３ｂと、この周壁３ｂの上端に蓋着された天壁３ｃとを具備してなる。この支持基部３には、前記脚体１のガススプリングを制御するための操作レバー３ｄが設けられている。
【００２３】
座５は、図１、図３、図６ないし図８に示すように、左右対をなす座フレーム１５と、これら両座フレーム１５間に張設された可撓性のある座張地１７と、この座張地１７との間に空間１９を形成しつつ前記両座フレーム１５の前端部１５ｂ間に介設されその介設状態で前記座張地１７に張力を付与する前横梁２１とを具備してなる。
【００２４】
背凭れ７は、図１、図３、図６ないし図８に示すように、左右対をなす背フレーム２３と、これら両背フレーム２３間に張設された可撓性のある背張地２５と、この背張地２５との間に空間２７を形成しつつ前記両背フレーム２３の上部２３ａ間に介設されその介設状態で前記背張地２５に張力を付与する上横梁２９と、前記背張地２５との間に空間３１を形成しつつ前記両背フレーム２３の下部２３ｂ間に介設されその介設状態で前記背張地２５に張力を付与する下横梁３３とを具備してなる。
【００２５】
前記座フレーム１５と前記背フレーム２３とは、図１ないし図８に示すように、連続したものであり（連続した座フレーム１５と背フレーム２３とを「フレームＦ」と総称する場合がある）、前記座５と背凭れ７とが一体となるように構成されている。すなわち、左の座フレーム１５と左の背フレーム２３、及び右の座フレーム１５と右の背フレーム２３とはそれぞれ一本の連続した金属素材を一体に成形することにより一体に構成されている。
【００２６】
前記左のフレームＦ及び右のフレームＦの各外側面Ｆａには、図８ないし図１０に示すように、前記座張地１７及び前記背張地２５を取り付けるための取付溝３５が形成されている。これらの取付溝３５は、前記各フレームＦの裏面Ｆｂよりも表面Ｆｃに近い位置に配されている。ここで、裏面Ｆｂとは、座フレーム１５の場合には下面を意味し、背フレーム２３の場合には背面を意味する。また、表面Ｆｃとは、座フレーム１５の場合には上面を意味し、背フレーム２３の場合には前面を意味する。
【００２７】
前記座張地１７及び前記背張地２５（以下、「張地Ｍ」と総称する場合がある）は、図１、図３、図６ないし図８、及び図１１ないし図１３に示すように、合成樹脂製の糸を織成または編成してなるメッシュ状の張地素材を所定形状に裁断することにより一体に構成されており、着座面である表面Ｍａ側から裏面Ｍｂ側に存在するものを視認することができるような透光性を備えている。
【００２８】
この張地Ｍの左右両縁部Ｍｃには、図１１及び図１３に示すように、帯状をなす剛性のある押し込み材３７が設けられている。この押し込み材３７は、前記張地Ｍの縁部Ｍｃに沿って連続して設けられたものであり、前記張地Ｍの縁部Ｍｃの一面側、すなわち裏面Ｍｂ側に縫製等により添着されている。また、この押し込み材３７は、合成樹脂等により作られたもので、前記取付溝３５に挿入可能な厚み寸法Ｔ１を有するとともに、前記取付溝３５の奥行き方向の開口寸法よりも大きな幅寸法Ｗ１を有したものである。
【００２９】
そして、図１３に示すように、この張地Ｍの各縁部Ｍｃを前記押し込み材３７とともに前記フレームＦの外面Ｆａ側に設けられた取付溝３５に反転させて挿入することにより、当該張地Ｍを左右のフレームＦ間に張設している。この状態で、左右のフレームＦ間に前横梁２１、上横梁２９及び下横梁３３を介在させることによって前記張地Ｍに張力が付与される。このようにして張力を付与された張地Ｍは、左右のフレームＦの形状に沿った形態となる。すなわち、左右の背フレーム２３は、下端の近傍に着座者の腰形状に対応して前方に突出する突出部２３ｃを有したものであり、前記背張地２５が下横梁３３により張力を付与されることにより前記突出部２３ｃに対応した突出形状をなすように張設されている。
【００３０】
また、前記張地Ｍの左右のフレームＦに支持されていない縁部Ｍｄ、Ｍｅは、図３、図１１及び図１２に示すように、袋状のものであり、その縁部Ｍｄ、Ｍｅ内に透明な芯材３９が内蔵されている。具体的には、前記座５の前縁に位置する張地Ｍ（座張地１７）の縁部Ｍｄ及び前記背凭れ７の上縁に位置する張地Ｍ（背張地２５）の縁部Ｍｅに芯材３９がそれぞれ設けられている。これらの芯材３９は、それぞれ透明なシート材を一定長さの帯状に裁断してなるもので、これら各芯材３９の両端部３９ａと前記押し込み材３７との間には芯材３９が存在しない可撓変形部４１を形成してなる。
【００３１】
前記前横梁２１は、図３ないし図６に示すように、中間に略平坦な平坦部２１ａを有した正面視Ｕ字形をなしており、その左右両端部２１ｂに左右の座フレーム１５の内側面１５ａにそれぞれ直接的に密接する対をなす取付壁４５を備えている。そして、これら各取付壁４５をそれぞれ複数の止着具たるボルト４７を用いて対応する座フレーム１５に止着している。具体的には、この取付壁４５に貫通させた２本のボルト４７を前記座フレーム１５に埋設したナット４９に締着することにより、この取付壁４５を前記座フレーム１５に固定している。なお、前横梁２１の両端部２１ｂには、前記各取付壁４５と協働して座フレーム１５を挟持する外装壁５１をそれぞれ備えている。前記取付壁４５は、前記座フレーム１５に沿って延びる形状をなしており、前記取付壁４５と前記外装壁５１とによって構成される嵌合部５３が、座フレーム１５に沿って延びる前後に長い形態をなしている。しかして、前記取付壁４５は、その厚み寸法Ｔ２よりも座フレーム１５に沿う方向の長手寸法Ｌ２が大きくなるように設定されている。
【００３２】
前記上横梁２９は、図２ないし図７及び図１０に示すように、その中央部２９ａが後方に突出するように湾曲したものであり、その左右両端部２９ｂに左右の背フレーム２３の内側面２３ｄにそれぞれ直接的に密接する対をなす取付壁５５を備えている。そして、これら各取付壁５５をそれぞれ複数の止着具たるボルト５７を用いて対応する背フレーム２３に止着している。具体的には、この取付壁５５に貫通させた２本のボルト５７を前記背フレーム２３に埋設したナット５９に締着することにより、この取付壁５５を前記背フレーム２３に固定している。なお、上横梁２９の両端部２９ｂには、前記各取付壁５５と協働して背フレーム２３を挟持する外装壁６１をそれぞれ備えている。前記取付壁５５は、前記背フレーム２３に沿って延びる形状をなしており、前記取付壁５５と前記外装壁６１とによって構成される嵌合部６３が、背フレーム２３に沿って延びる上下に長い形態をなしている。しかして、前記取付壁５５は、その厚み寸法Ｔ３よりも背フレーム２３に沿う方向の長手寸法Ｌ３が大きくなるように設定されている。
【００３３】
前記下横梁３３は、図２ないし図７及び図９に示すように、着座者の腰形状に対応して前方に突出する背フレーム２３の突出部２３ｃの近傍同士を結合するものであって、その左右方向の中央部３３ａが後方に突出するように湾曲しており、その左右両端部３３ｂに左右の背フレーム２３の内側面２３ｄにそれぞれ直接的に密接する対をなす取付壁６５を備えている。そして、これら各取付壁６５をそれぞれ複数の止着具たるボルト６７を用いて対応する背フレーム２３に止着している。具体的には、この取付壁６５に貫通させた２本のボルト６７を前記背フレーム２３に埋設したナット６９に締着することにより、この取付壁６５を前記背フレーム２３に固定している。なお、下横梁３３の両端部３３ｂには、前記各取付壁６５と協働して背フレーム２３を挟持する外装壁７１をそれぞれ備えている。前記取付壁６５は、前記背フレーム２３に沿って延びる形状をなしており、前記取付壁６５と前記外装壁７１とによって構成される嵌合部７３が、背フレーム２３に沿って延びる上下に長い形態をなしている。しかして、前記取付壁６５は、その厚み寸法Ｔ４よりも背フレーム２３に沿う方向の長手寸法Ｌ４が大きくなるように設定されている。
【００３４】
このようにしてなる本実施形態にかかる椅子は、図２及び図８に示すように、座５と背凭れ７とが一体に構成されており、これら座５及び背凭れ７が前記支持基部３に一体に設けられた前横梁２１によって片持ち支持されている。そして、この支持基部３と前記座５との間に荷物載置面７５が設けられ、その荷物載置面７５と前記座５の裏面５ａとの間に荷物Ｂ１を出し入れ自在に収容するための荷物収容空間７７が形成されている。
【００３５】
前記荷物載置面７５は、図２及び図３に示すように、平面視においてその外縁７５ａの一部が前記支持基部３の外縁３ｅよりも外側に位置する延出部７９を備えており、その延出部７９に埃排除手段８１が設けられている。すなわち、この実施形態における荷物載置面７５は、前横梁２１の平坦部２１ａの上面２１ｃと支持基部３の上に着脱可能に装着された棚板８３の上面８３ａにより形成されている。換言すれば、前記支持基部３の上面３ｆを覆い隠すようにして前記棚板８３が設けられており、その棚板８３に前記荷物載置面７５の主要部、すなわち荷物載置面７５の一部が形成されている。
【００３６】
前記棚板８３は、図２ないし図８に示すように、その上面８３ａで荷物Ｂ１を装脱可能に支持するための荷物載置面７５の一部を形成する棚板本体８５と、この棚板本体８５の下面に設けられ前記支持基部３に着脱可能に外嵌される外嵌壁体８７とを備えている。
【００３７】
前記棚板本体８５は、前記支持基部３の上面３ｆに載置されるものであって、平面視において支持基部３よりも大きな面積を有しており、前記支持基部３よりも外側に位置する部位に前記埃排除手段８１を構成する複数の貫通孔８２が設けられている。この棚板本体８５は、平面視においてＡ４版サイズよりも大きな面積を有したもので、その左右両側縁部８５ａに荷物Ｂ１の落下を防止するための湾曲部８５ｂを備えている。この棚板本体８５は、その中央部を前記脚支柱１３の軸心である支持基部３の回転中心Ｏにほぼ一致させて配設されており、前記荷物載置面７５が前記支持基部３の回転中心Ｏを含む位置に形成されるようにしている。
【００３８】
前記外嵌壁体８７は、前記支持基部３の外周面３ｇに重なり合う包持部８７ａと、前記支持基部３の底面周縁部分３ｈに重なり合う抜止部８７ｂとを備えてなるもので、前記支持基部３に後方から装脱し得るようにその前面が開放されている。また、前記外嵌壁体８７は、前記包持部８７ａの外面を前記棚板本体８５の下面に接続するためのリブ８７ｃを備えている。
【００３９】
また、この実施形態にかかる椅子は、図１に示すように、肘掛け８９を有している。この肘掛け８９は、図３ないし図５、図８、図１４に示すように、前記下横梁３３の外装壁７１と一体に連続形成されたものであり、前記下横梁３３の外面３３ｃと前記肘掛け８９の外面８９ａとが滑らかに一体化されている。この肘掛け８９は、前記背凭れ７から前方に延出させて設けられたものであり、前記背凭れ７に支持された肘掛け本体９１と、この肘掛け本体９１上に設けられた肘当てパット９３とを具備してなる。
【００４０】
前記肘掛け本体９１は、前記下横梁３３に一体に設けられた肘支柱９５と、この肘支柱９５の先端部に設けられた肘フレーム９７とからなり、この肘フレーム９７上に前記肘当てパット９３を装着している。具体的には、前記肘フレーム９７が、その上面に前後対をなす取付部９７ａを有した硬質の下枠部９７ｂと、この下枠部９７ｂの取付部９７ａに前後両端部を取付けた硬質の上枠部９７ｃとからなるもので、この下枠部９７ｂと上枠部９７ｃとで剛性を有したループ形状を形成している。換言すれば、この下枠部９７ｂと前記上枠部９７ｃとで窓部９９が形成される。そして、上枠部９７ｃの上に軟質の肘当てパット９３を設けている。そして、この窓部９９の開口縁９９ａに平面視において肘当てパット９３の外縁９３ａからはみ出さない状態でかばんその他の荷物Ｂ２を掛けるためのフック１０１を設けている。すなわち、このフック１０１は、前記肘フレーム９７の窓部９９に一体に形成されている。換言すれば、このフック１０１は、前記窓部９９の開口縁９９ａの下辺部分９９ｂを変形させることにより形成されたものである。
【００４１】
また、この実施形態にかかる椅子は、図２ないし図６に示すように、衣類を掛けるためのハンガー１０３を備えている。このハンガー１０３は、前記上横梁２９の下辺２９ｃに懸吊姿勢で一体的に設けられたものであり、衣類を掛けるためのハンガー本体１０５と、このハンガー本体１０５を前記上横梁２９との間に隙間１０７を維持した状態で前記上横梁２９に懸吊支持させる懸吊部材１０９とを具備してなる。
【００４２】
以上に述べたように、本実施形態に係る回転椅子は、左右対をなすフレームＦに可撓性のある張地Ｍを張設して座５及び背凭れ７を構成するようにしたものであって、前記フレームＦの表面Ｆｃ側を覆うように設けられた張地Ｍがその左右両側縁部Ｍｃに剛性のある押し込み材３７を備えたものであり、その縁部Ｍｃを押し込み材３７とともに前記フレームＦの外側面Ｆａに設けられた取付溝３５に反転させて挿入しているので、張地Ｍに設けられた押し込み材３７をフレームＦに設けられた取付溝３５に押し込んでいくという簡易な張設作業により、張地Ｍに所望の張力を与えることができる。また、押し込み材３７をフレームＦの外側面Ｆａに設けられた取付溝３５に反転して挿入しているので、従来のようにフレームＦの外側面Ｆａ側に張地Ｍをまわり込ませることなく取り付ける場合と比較して、着座面の端部まで張地Ｍが撓み、座り心地のよいものとすることができる。
【００４３】
また、前記押し込み材３７が、前記取付溝３５に挿入可能な厚み寸法Ｔ１を有するとともに、前記取付溝３５の奥行き方向の開口寸法よりも大きな幅寸法Ｗ１を有しているので、押し込み材３７と取付溝３５の内面との間に隙間が生じ、押し込み材３７を取付溝３５に取り付ける作業を容易に行うことができる。
【００４４】
ここで、押し込み材３７の厚み寸法Ｔ１が前記取付溝３５よりも小さいため、張地Ｍに張力が付与されると前記押し込み材３７は取付溝３５内で回転しようとする。しかしながら、押し込み材３７の幅寸法Ｗ１が前記取付溝３５の奥行き方向の開口寸法よりも大きく設定されるので、押し込み材３７が取付溝３５内で一定以上回転することが抑止される。したがって、押し込み材３７が取付溝３５の外部に抜け出ることを防止することが可能となる。すなわち、取付溝３５及び押し込み材３７を比較的簡単な構造にしつつ、張地ＭがフレームＦから外れない構造を実現することができる。
【００４５】
また、前記取付溝３５が、前記フレームＦの裏面Ｆｂよりも表面Ｆｃに近い位置に形成されているので、フレームＦの曲線形状に沿って張地Ｍを張設することができ、前記突出部２３ｃや座フレーム１５と背フレーム２３との境界部分等、曲線部分に対応する部分の張地Ｍにしわが生じることを抑制し得る。
【００４６】
前記押し込み材３７が前記張地Ｍの裏面Ｍｂ側の左右両側縁部Ｍｃに沿って連続して設けられており、前記取付溝３５がフレームＦの外側面Ｆａに連続的に設けられているので、押し込み材３７を取付溝３５に押し込むと、その押し込み材３７の有する剛性により順次連続する押し込み材３７を取付溝３５に押し込みやすくなり、張地ＭをフレームＦに取り付ける作業を簡単に行うことができる。
【００４７】
この押し込み材３７は、合成樹脂製の糸を織成または編成してなるメッシュ状の張地素材に前記左右対をなすフレームＦの視認形状に対応させて添設されるものであり、その張地素材の縁を前記押し込み材３７に沿って切除することによりほぼ矩形状に形成されるものである。具体的には、張地Ｍの裏面Ｍｂになる面側に前記押し込み材３７を縫製により添着させ、その後、押し込み材３７の外側に沿って張地素材を切除しているので、所望の形状に張地素材を裁断することが容易になる。さらに、張地素材がメッシュ状であるため、張地素材を切除する前に押し込み材３７を張地素材に添着することにより、張地Ｍの左右両縁部Ｍｃのほつれを抑制することもできる。
【００４８】
また、張地Ｍと前横梁２１及び上横梁２９との間に空間１９、３１がそれぞれ存在するので、張地Ｍの前縁部Ｍｄ及び張地Ｍの上縁部Ｍｅに保形性及び強度が要求されるが、それらの部分に透明な芯材３９を取り付けることによって、張地Ｍの保形性及び強度を維持しつつも、芯材３９が透明であるのでその存在により張地Ｍの美観及び椅子全体の美観が損なわれるのを回避することができる。
【００４９】
さらに、前記芯材３９の両端部３９ａと前記押し込み材３７との間に芯材３９の存在しない可撓変形部４１を形成しているので、張地Ｍの左右両側縁部Ｍｃを押し込み材３７とともに前記フレームＦの外側面Ｆａに設けられた取付溝３５に反転させて挿入する作業を無理なく行うことができる。
【００５０】
また、左右対をなすフレームＦ間に張地Ｍを張設しているので、これら左右対をなすフレームＦ間に前横梁２１、上横梁２９及び下横梁３３を介設した状態で張地Ｍに張力を付与しているので、張地Ｍを左右のフレームＦに対応した形状に保形でき、張地Ｍに高い張力を与えることができる。
【００５１】
さらに、前記前横梁２１が、左右両端部２１ｂに左右の座フレーム１５の内側面１５ａに直接的に密接する対をなす取付壁４５を備えたものであり、前記上横梁２９及び下横梁３３が、左右両端部２９ｂ、３３ｂに左右の背フレーム２３の内側面２３ｄに密接する対をなす取付壁５５、６５をそれぞれ備えているので、これらの取付壁４５、５５、６５が左右のフレームＦを外側面Ｆａ側に押圧し、前記張地Ｍに左右方向の張力を付与することができる。そのため、前記張地Ｍに高い張力を与えることができる。
【００５２】
また、左右の肘掛け８９は、腰部背面に位置する下横梁３３と合わせて一体に成形されており、さらに下横梁３３部分において左右の背フレーム２３をつなぐように、左右の背フレーム２３とそれぞれ縦方向の長手寸法Ｌ４をもって固定されているため、取付強度が高く、使用中に肘掛け８９に荷重がかかってもぐらつくことがない。また、肘掛け無しタイプの椅子との互換性についても、製品の組み立て段階で、肘掛け無しタイプまたは肘掛け付きタイプの下横梁３３を必要に応じて選択して取り付けるだけなので、製品の作り分けが容易である。
【００５３】
なお、本発明は以上に述べた実施形態に限られない。
【００５４】
本実施形態においては、フレームに切削で彫り込むこと等により一体に取付溝が形成されるものを示したが、同一のまたは異なる２種類のフレームの間に取付溝が形成されるものであってもよい。
【００５５】
例えば、図１５に模式的に示すように、着座面たる座面または背面に直交する方向から見たときにフレームＦの形状がほぼ同一となる表面側フレームＦｄ及び裏面側フレームＦｅを図示しないビス等の止着具を用いて接合することで一体化して、座フレーム１５または背フレーム２３を構成するものである。このように一体化されたフレームＦのうち、表面側フレームＦｄの外側面かつ裏面側フレームＦｅ側に、この表面側フレームＦｄの外面よりも少し段落ちさせた段部Ｆｆを設けており、表面側フレームＦｄと裏面側フレームＦｅとを接合することにより前記段部Ｆｆと裏面側フレームＦｅの表面側とにより形成される空間を取付溝３５としている。このようなものであれば、取付溝３５の内部の形状が複雑なものであっても比較的容易に取付溝３５を形成することができる。
【００５６】
また、本実施形態においては、平板状の押し込み材３７をフレームＦに形成された取付溝３５に取り付けていたが、図１６及び図１７に示すように、取付溝３５の内面側に前記押し込み材３７を取付溝３５から抜けにくくするための抜け止め手段を設けてもよい。具体的には、抜け止め手段は、押し込み材３７に設けられた係合部３７ａと、取付溝３５の内面に形成された被係合部３５ａとからなる。被係合部３５ａは、取付溝３５の内面にフレームＦと一体に形成されたものであっても、取付溝３５の内面に別体を添設させて形成されたものであってもよい。
【００５７】
例えば、図１６に示す抜け止め手段は、被係合部３５ａがフレームＦと一体に形成されたものである。すなわち、本実施形態にかかる椅子のように、左右が独立した１本のフレームＦの場合であれば、押し出し成形により図１６に示すような、断面がくさび形の取付溝３５を有したフレームＦを構成することができる。この際、押し込み材３７は、前記取付溝３５の被係合部３５ａに対応したくさび形とするのが好ましい。このようなものであれば、軟質樹脂の押し込み材３７の三角形引っ掛かり部、すなわち係合部３７ａを弾性変形させながら前記取付溝３５に押し込んでいくことにより、前記取付溝３５に張地Ｍの縁部を取り付けることができる。
【００５８】
一方、図１７に示す抜け止め手段は、被係合部３６ａがフレームＦと別体に形成されたものであり、具体的には、取付溝３５の内面に添設した挿入部材３６に被係合部３６ａを形成したものである。すなわち、図１６に示すような断面形状をフレームＦに形成することが困難である場合であっても、例えばアルミダイカスト製の挿入部材３６を取付溝３５の内面に添設し、その添設した面の反対側にくさび形の被係合部３６ａを形成することができる。この際、押し込み材３５は、前記挿入部材３６の被係合部３６ａに対応したくさび形とするのが好ましい。このようなものであれば、軟質樹脂の押し込み材３７の三角形引っ掛かり部、すなわち係合部３７ａを弾性変形させながら被係合部３６ａに係合させつつ前記取付溝３５内に押し込んでいくことにより、前記取付溝３５に張地Ｍの縁部Ｍｃを取り付けることができる。
【００５９】
これら図１６及び図１７に示す構造は、２種類のフレームＦにより形成されるものであってもよい。特に２種類のフレームＦであれば、このようなくさび形の被係合部３５ａ、３６ａを容易に形成することができる。また、１種類のフレームＦであっても、押し出し成形等により一体成形でフレームＦ内に被係合部３５ａ、３６ａを形成することができる。
【００６０】
本実施形態では、左右のフレーム間に張設される張地について説明したが、張地の形状または押し込み材の取付位置等種々変更可能である。例えば、フレームについては、左右対をなすフレームには限られず、上下方向のフレーム、上下方向及び左右方向のフレームからなるものであってもよく、さらに、フレームが張地の周囲を囲うように配されるロ字形またはコ字形の枠状のものであってもよい。また、座張地と背張地が一体に形成されるもののみならず、座と背が別体のものであって、座張地と背張地とが別々に配されるものであってもよい。
【００６１】
また、前記押し込み材の張地への添設の方法としては、縫製によるものに限らず、溶着その他種々変更可能である。また、前記押し込み材は、前記張地の縁部に沿って連続して設けられたものに限られないが、このようなものであれば、押し込み材を一旦取付溝に押し込み始めると、その押し込み材の有する剛性により順次連続する押し込み材を取付溝に押し込みやすくなるため、張地をフレームに取り付ける作業を簡単に行うことができる。
【００６２】
また、本実施形態は事務用回転椅子について説明したが、これに限られず、回転椅子以外の椅子にも適用することができるものである。
【００６３】
その他、本発明の趣旨を損ねない範囲で種々に変更してよい。
【符号の説明】
【００６４】
Ｆ…フレーム
Ｆａ…外側面（フレーム）
Ｆｂ…裏面（フレーム）
Ｆｃ…表面（フレーム）
Ｍ…張地
Ｍｃ…縁部（張地の左右）
Ｍｄ…縁部（前縁）
Ｍｅ…縁部（上縁）
５…座
７…背凭れ
３５…取付溝
３７…押し込み材
Ｔ１…厚み寸法（押し込み材）
Ｗ１…幅寸法（押し込み材）
３９…芯材
３９ａ…端部（芯材）
４１…可撓変形部
【図１】
2011045573.tif 000003
【図２】
2011045573.tif 000004
【図３】
2011045573.tif 000005
【図４】
2011045573.tif 000006
【図５】
2011045573.tif 000007
【図６】
2011045573.tif 000008
【図７】
2011045573.tif 000009
【図８】
2011045573.tif 000010
【図９】
2011045573.tif 000011
【図１０】
2011045573.tif 000012
【図１１】
2011045573.tif 000013
【図１２】
2011045573.tif 000014
【図１３】
2011045573.tif 000015
【図１４】
2011045573.tif 000016
【図１５】
2011045573.tif 000017
【図１６】
2011045573.tif 000018
【図１７】
2011045573.tif 000019